(57)【要約】【課題】夜間に遠目から見ても花として視認でき、観る人を楽しませることのできるフラワーイルミネーションを提供することである。【解決手段】フラワーイルミネーション（１）において、複数の花弁（２１）が放射方向に拡がり、各花弁の先端部にイルミネーション用の発光部（３ａ）が設けられた花冠（２２）の部分を有する造花（２）の複数によって、電飾される構成とする。係る構成とすることで、複数の花弁の各々の先端部に設けた発光部の光によって花の輪郭が浮かび上がり、夜間に遠目から見たときでも花として視認されることができる。【選択図】図１
2017188377.tif 000002
【特許請求の範囲】
【請求項１】
複数の花弁が放射方向に拡がり、各花弁の先端部にイルミネーション用の発光部が設けられた花冠の部分を有する造花の複数によって、電飾されることを特徴とするフラワーイルミネーション。
【請求項２】
前記花弁は、着色された透光性の樹脂で成形されており、
前記イルミネーション用の発光部は、前記花弁の色と同色に発光するＬＥＤであって、該ＬＥＤの発光部分が花弁の先端部から露出するように配置されていることを特徴とする請求項１に記載のフラワーイルミネーション。
【請求項３】
前記ＬＥＤの発光部分が、放射方向に拡がる花弁の長さ方向に沿って外方に延びるように花弁の先端部に配置されていることを特徴とする請求項２に記載のフラワーイルミネーション。
【請求項４】
前記複数の造花の各々は、花冠の部分を上端側で支持すると共に、下端側が地面に挿されて当該造花を自立させる茎の部分をさらに有していることを特徴とする請求項１〜３のいずれか１項に記載のフラワーイルミネーション。
【請求項５】
フラワーイルミネーションに用いられる造花であって、
複数の花弁が放射方向に拡がり、各花弁の先端部にイルミネーション用の発光部が設けられた花冠の部分を有することを特徴とするフラワーイルミネーション用の造花。
【発明の詳細な説明】
【技術分野】
【０００１】
本発明は、屋外など夜間暗くなる場所に飾られるフラワーイルミネーション、及びフラワーイルミネーション用の造花に関する。
【背景技術】
【０００２】
例えばテーマパークやホテルなどに飾られるイルミネーションとして、花に電飾を施したフラワーイルミネーションが知られている。フラワーイルミネーション用の花には、季節を問わず任意の場所に設置可能な造花が用いられる（例えば、特許文献１〜２参照）。特許文献１〜２に開示されているフラワーイルミネーション用の造花は、樹脂等の材料で花冠の部分を成形し、花冠の中央に電飾用のＬＥＤ（Light Emitting Diode）を配置している。そして、ＬＥＤに電気を供給する電気配線で複数の花冠を繋ぎ合せ、建物や樹木に花冠を取り付けてイルミネーションとしている。
【先行技術文献】
【特許文献】
【０００３】
【特許文献１】特開２０１２−７９６６８号公報
【特許文献２】意匠登録第１５２４８３６号公報
【発明の概要】
【発明が解決しようとする課題】
【０００４】
しかしながら、特許文献１〜２に開示されているフラワーイルミネーションの構成では、昼間は花として視認されるが、夜間に遠目から見ると、ＬＥＤが星のように点在して光るだけで、花として認識されないことが多いという問題がある。
【０００５】
本発明は、このような事情に鑑みてなされたもので、夜間に遠目から見ても花として視認でき、観る人を楽しませることのできるフラワーイルミネーション、及びフラワーイルミネーション用の造花を提供するものである。
【課題を解決するための手段】
【０００６】
本発明に係るフラワーイルミネーションは、複数の花弁が放射方向に拡がり、各花弁の先端部にイルミネーション用の発光部が設けられた花冠の部分を有する造花の複数によって、電飾された構成となる。
【０００７】
このような構成とすることにより、複数の花弁の各々の先端部に設けた発光部の光によって花の輪郭が浮かび上がり、夜間に遠目から見たときでも花として視認されることができる。花冠の部分の色が異なる複数の造花を用い、例えば芝生等の地面に配列して全体として模様を形成すれば、観る人に、よりいっそうフラワーイルミネーションを楽しんでもらうこともできる。
【０００８】
また、前記花弁は、着色された透光性の樹脂で成形されており、前記イルミネーション用の発光部は、前記花弁の色と同色に発光するＬＥＤであって、該ＬＥＤの発光部分が花弁の先端部から露出するように配置されている構成とすることができる。
【０００９】
このような構成とすることにより、ＬＥＤの光を直接的に放つことができ、さらに透光性の樹脂で成形された花弁の先端部付近の輪郭が光を通して浮かび上がるので、より確実に花として視認されることができる。
【００１０】
また、前記ＬＥＤの発光部分が、放射方向に拡がる花弁の長さ方向に沿って外方に延びるように花弁の先端部に配置されている構成とすることができる。
【００１１】
このような構成とすることにより、ＬＥＤの発光部分が花弁の先端にて放射状に延びる線状の光を形成するので、より確実に花として視認されることができる。
【００１２】
また、前記複数の造花の各々は、花冠の部分を上端側で支持すると共に、下端側が地面に挿されて当該造花を自立させる茎の部分をさらに有している構成とすることができる。
【００１３】
このような構成とすることにより、例えば芝生等の地面に直接挿して設置できるので、観る人にまるで本物の花畑と思われる飾り付けをすることができる。
【００１４】
さらに、本発明に係るフラワーイルミネーションに用いられる造花は、複数の花弁が放射方向に拡がり、各花弁の先端部にイルミネーション用の発光部が設けられた花冠の部分を有する構成である。
【００１５】
このような構成とすることにより、発光部の光によって花の輪郭が浮かび上がり、夜間に遠目から見たときでも花として視認されることができる。
【発明の効果】
【００１６】
本発明に係るフラワーイルミネーション、及びフラワーイルミネーション用の造花によれば、複数の花弁の各々の先端部に設けた発光部の光によって花の輪郭が浮かび上がり、夜間に遠目から見たときでも花として視認されることができ、観る人にフラワーイルミネーションを楽しんでもらうことができる。
【図面の簡単な説明】
【００１７】
【図１】本発明の実施の形態に係るフラワーイルミネーションを示す斜視図である。
【図２】上記フラワーイルミネーション用の造花の構成を示す分解斜視図である。
【図３】上記フラワーイルミネーション用の造花の構成を示す平面図である。
【図４】上記フラワーイルミネーションの電気系統を示す図である。
【図５】実際に製作したフラワーイルミネーション（その１）の撮影図である。
【図６】実際に製作したフラワーイルミネーション（その２）の撮影図である。
【発明を実施するための形態】
【００１８】
本発明の実施の形態について図面を用いて説明する。
【００１９】
本発明の実施の一形態に係るフラワーイルミネーションは、図１〜図４に示すように構成される。
【００２０】
図１に示すように、フラワーイルミネーション１は、イルミネーション用の造花２を複数本備えている。イルミネーション用の造花２は、複数の花弁２１を有する花冠２２の部分と、花柄２３の部分と、花柄２３を間に挟んで花冠２２を支持する茎２４の部分によって構成されている。茎２４の部分の下部側は、先端に向かって縮径する逆円錐形状となっており、例えば芝生等の地面や設置台に茎２４の部分を挿すだけで各々の造花２を自立させることができるようになっている。なお、図１では、説明の便宜上、地面に挿さった茎２４の部分を点線で描いている。
【００２１】
花冠２２の部分は、赤，黄色，ピンク，紫，又は白などの中から選択した色に着色されたプラスチック等の樹脂材料で形成されている。樹脂材料は、後述するイルミネーション用の発光部の光を少なからず透過する透光性を有していることが好ましい。
【００２２】
花冠２２の中央部には、上面が平面に形成された概ね円柱状の花床２５の部分が形成されている。複数の花弁２１は、花床２５を中心として放射状に拡がるように、花床２５の側周面に形成されている。本実施形態では、好ましい一例として、６枚の花弁２１を周方向に所定の間隔（図の例では６０度の等間隔）で配置している。さらに、これら６枚の花弁２１は、その先端が花床２５の平面部から見て外側上方向に向かって延びるように傾斜配置されている。傾斜角は、一例として２０〜７０度の範囲に設定することができる。各花弁２１は、上面が平面に形成されており、平面視において、根元から中央に向かって幅が拡がり中央から先端に向かって幅が狭まる流線形となっている。
【００２３】
さらに、各花弁２１は、厚みを持って形成されており、先端面が概ね逆台形の平面２０となっている。イルミネーション用の発光部としてのＬＥＤ３は、その発光部分３ａだけが花弁２１の先端面から露出するようにして、花弁２１の内部に設置されている。すなわち、ＬＥＤ３の発光部分３ａが、花弁２１と同様に、花床２５を中心として放射状に延びるように配置されている。ＬＥＤ３は、赤，黄色，ピンク，紫，又は白などに着色された花弁２１の色と同色に発光するものが用いられる。
【００２４】
花柄２３と茎２４の部分は、例えば緑に着色されたプラスチック等の樹脂材料で一体的に形成されている。茎２４の部分の上部側には、円形の開口穴２６が形成されている。詳しくは後述するが、ＬＥＤ３に電気を供給する電気配線４は、この開口穴２６を通じて花冠２２内に配設される。電気配線４は、造花２同士を直列的につないで電気を供給する構成としている。電気配線４には、例えばクリアケーブルを用いる。なお、図１には３本の造花２を示しているが、実際には、より多くの造花２を直列的につないでセット化している。一例として、花冠２２が同じ色の造花２を５０本つないで一つのセットとすることができる。造花２の本数は、設置場所の大きさなどに応じて、適宜変更することもできる。
【００２５】
一つのセットを構成する複数の造花２のうち、電気系統の端に位置する造花２から伸びる電気配線には、点灯及び消灯を制御する電源コントローラや、別のセットの造花２と電気的に連結可能なジョイント部４１が設けられている。ジョイント部４１は、例えば一般的な電気配線に用いられるコンセントやコネクターを用いることができる。また、セット内の造花２同士をつなぐ電気配線４の途中には、葉にあたる緑に発光するＬＥＤ４２が複数配置されている。
【００２６】
続いて、図２及び図３を参照しながら、組み立てが容易なイルミネーション用の造花２の好ましい構成について説明する。図２は、造花２を部品単位で示した組み立て図である。図３は、花弁２１の内部にＬＥＤ３を設置した状態を示す平面図である。
【００２７】
図２に示すように、花冠２２の部分は、花冠表面部２２Ａと花冠底面部２２Ｂとに上下２分割された構成となっている。花冠底面部２２Ｂの花弁部分２１Ｂには、ＬＥＤ３を配置するための溝２７が花弁部分２１Ｂの長さ方向に沿って形成されている。溝２７は、花床２５の部分の窪みと連通している。この花床２５の部分の窪みには、花柄２３から茎２４の上部側（開口穴２６の高さ）まで連通する円形の縦の開口路２８が形成されている。さらに、開口路２８には、周方向の一部が花床２５の側周面まで連通する縦の切欠き２９が形成されている。縦の開口路２８は、ＬＥＤ３用の電気配線４を配設するための通路であり、縦の切欠き２９は、電気配線４を縦の開口路２８に通す作業に用いられる。
【００２８】
花柄２３及び茎２４の上部は、縦割りに左右２分割され、花柄部分２３Ａと茎部分２４Ａ及び花柄部分２３Ｂと茎部分２４Ｂとなっている。茎２４の側周面に形成される電気配線用の開口穴２６は、この２分割された構成によって上下の半円に２分割され、開口穴２６ａ及び開口穴２６ｂとなっている。そして前述の縦の切欠き２９は、開口穴２６ａ及び開口穴２６ｂとは１８０度位相をずらした位置に形成されている。なお、図示は省略するが、上下２分割された花冠表面部２２Ａと花冠底面部２２Ｂは、例えば花弁部分２１Ａに小さなピン状の凸部を複数形成し、花弁部分２１Ｂに凹部を形成して、凸部と凹部を嵌合することで脱着自在に固定できるようになっている。また、左右２分割された花柄部分２３Ａと茎部分２４Ａ及び花柄部分２３Ｂと茎部分２４Ｂは、図示は省略するが、例えばネジやピン等の固定手段を用いて固定することができる。
【００２９】
図２に示した構成の造花２は、先ず図３に示すように発光部分３ａが先端から露出するようにＬＥＤ３を溝２７内に配置し、ＬＥＤ３からの電気配線４を縦の切欠き２９を通じて花床２５の側周面側から開口路２７内に入れる。次に、茎部分２４Ａの開口穴２６ａのところに電気配線４を位置させてから茎部分２４Ｂを取り付ける。さらに、花弁部分２１Ａが花弁２１Ｂと合うように花冠表面部２２Ａを取り付けて造花２を完成させる。一つのセットで５０本もの造花２を組み立てる作業は、作業者の負担になる場合がある。よって、図２のような構成とすることによって、電気配線４の配設を簡単に行うことができ、組み立て作業の負担を減らすことができる。
【００３０】
次に、フラワーイルミネーション１の電気系統について、図４を参照しながら説明する。図４に示すように、一つのセットを構成する複数のＬＥＤ３及びＬＥＤ４２は、点灯及び消灯を制御する電源コントローラ４３及びコンセント４４を介して商用電源と電気的に接続される。商用電源に代えて、バッテリーや太陽電池などの他の電源を用いてもよい。電源コントローラ４３と電気配線４は、ジョイント部４１によって脱着自在に接続されている。他端側のジョイント部４１には、別のセットの造花２を連結することができる。連結する別のセットの造花２は、同色であってもよく、別の色であってもよい。電気配線４は、花冠２２の部分に設けられたＬＥＤ３群をつなぐ配線と、葉っぱにあたる緑のＬＥＤ４２群をつなぐ２本の配線で構成されている。
【００３１】
電源コントローラ４３は、例えばＩＣ（Integrated Circuit）を備えたマイクロコントローラを用いることができる。さらに、点灯／消灯パターンの情報をコントローラ内のメモリに格納しておき、このパターンの情報に基づいて、点灯／消灯の制御を実行するようにしてもよい。また、電源コントローラ４３によりＬＥＤ３及びＬＥＤ４２を常時点灯するようにすることもできる。
【００３２】
上述のように構成されたフラワーイルミネーション１は、一例として、テーマパークやホテルの庭園等の屋外や、室内庭園等の屋内の任意の場所に飾り付けすることができる。例えば、屋外の芝生等の地面に飾り付けする場合、地面に茎２４の部分を挿していくだけで簡単に飾り付けすることができ、花畑を演出することが可能である。飾り付けにあっては、花冠２２の部分の色が異なる複数の造花２を配列して全体として模様を形成するといった趣向を凝らすこともできる。なお、フラワーイルミネーション１は、プランター等の狭い場所にも飾り付けることができる。例えば、屋外、屋内を問わず一般の家庭に設置された一又は複数のプランターにフラワーイルミネーション１を構成することもできる。
【００３３】
従って、本実施形態のフラワーイルミネーション１によれば、放射状に拡がる複数の花弁２１の各々の先端部にＬＥＤ３の発光部分３ａを設けたことにより、ＬＥＤ３の光によって花冠２２の輪郭が浮かび上がる。その結果として、夜間に遠目から見たときでも花として視認されることができ、観る人に、よりいっそうフラワーイルミネーション１を楽しんでもらうことができる。また、フラワーイルミネーション１を構成するための一つのセットには、図４に示すように、造花を構成するためのＬＥＤ３群のほかに、葉っぱを構成するための緑のＬＥＤ４３が造花の間に配置されている。このようなセットによって構成されるフラワーイルミネーション１は、観る人にお花畑をよりリアルに連想させることができるようになる。
【００３４】
なお、図１〜図３には、好ましい一例として６枚の花弁２１が等間隔に配置された花冠２２の例を示したが、変形例として花冠２２の形状を変えることも可能である。すなわち、花弁２１の枚数を増減したり、花弁２１の間隔を変えたりしてもよい。また、花弁２１が根元の部分から各々独立している形状に変えて、例えばツツジ等のように花弁の根元の部分がつながった形状としてもよく、朝顔等の花弁の大部分がつながった形状としてもよい。すなわち、花弁２１が放射状に拡がる形状であれば、花冠２２の形状を適宜変更してもよい。
【００３５】
（実施例１）
続いて、実際にフラワーイルミネーション１を製作し、ＬＥＤ３を点灯した実施例１について説明する。本実施例では、材料にＡＢＳ樹脂を用いて図２に示した形状の造花２を製作し、電気配線４を行って図１に示したフラワーイルミネーション１を構成した。造花２の大きさは、花直径を約８０ｍｍ、高さを約２９０ｍｍとした。花冠２２の色は黄色とし、同様に黄色に発光するＬＥＤ３を用いた。
【００３６】
図５は、ＬＥＤ３を点灯したときの様子を撮影した撮影図である。図５から分かるように、花弁２１の先端部に設けたＬＥＤ３の発光部分３ａの光によって花冠２２の輪郭が浮かび上がり、花として視認できることが確認された。さらに透光性の樹脂で成形された花弁２１の先端部付近がＬＥＤ３の光を通して浮かび上がっており、より確実に花として視認できることが確認された。さらには、ＬＥＤ３の発光部分が花弁２１の先端にて放射状に延びる線状の光を形成しており、より確実に花として視認できることが確認された。
【００３７】
（実施例２）
実施例２では、花冠２２及びＬＥＤ３の色を、黄色、白、紫及び赤にしたフラワーイルミネーション１を複数セット製作し、これらを配列して模様を形成した。造花２の材料と形状は、実施例１と同様とした。
【００３８】
図６は、各色のＬＥＤ３を点灯したときの様子を撮影した撮影図である。図６から分かるように、花冠２２及びＬＥＤ３の色が変わっても、花として視認できることが確認された。さらに、複数色で模様を形成しても、夫々を花として視認できることが確認された。
【産業上の利用可能性】
【００３９】
以上、本発明に係るフラワーイルミネーション、及びフラワーイルミネーション用の造花によれば、夜間に遠目から見たときでも花として視認されることができる効果を有し、観る人に楽しんでもらうことができるフラワーイルミネーションとして有用である。
【符号の説明】
【００４０】
１    フラワーイルミネーション
２    フラワーイルミネーション用の造花
２１  花弁
２２  花冠
２４  茎
３    ＬＥＤ
３ａ  ＬＥＤの発光部分
【図１】
2017188377.tif 000003
【図２】
2017188377.tif 000004
【図３】
2017188377.tif 000005
【図４】
2017188377.tif 000006
【図５】
2017188377.tif 000007
【図６】
2017188377.tif 000008